(57)【要約】【課題】磁石の漏れ磁束を抑制したレンズ駆動装置及びこのレンズ駆動装置を搭載したカメラモジュールを提供する。【解決手段】レンズ駆動装置は、レンズを保持するとともにこのレンズの光軸方向に移動可能なホルダ１０と、ホルダ１０に固定される磁石２０と、磁石２０とレンズの径方向に対向するとともにホルダ１０を外囲するコイルと、磁石２０と径方向に対向するとともにコイルの径方向の外側に配置される磁性体７０とを備えている。そして、ホルダ１０は、磁性体によって形成されている。【選択図】図４
2010139980.tif 000002
【特許請求の範囲】
【請求項１】
レンズを保持するとともに該レンズの光軸の方向に移動可能なホルダと、前記ホルダに固定される磁石と、前記磁石と前記レンズの径方向に対向するとともに前記ホルダを外囲するコイルと、前記磁石と前記径方向に対向するとともに前記コイルの前記径方向の外側に配置される磁性部材とを備えるレンズ駆動装置において、
前記ホルダは、磁性体によって形成される
ことを特徴とするレンズ駆動装置。
【請求項２】
レンズを保持するとともに該レンズの光軸の方向に移動可能なホルダと、前記ホルダに固定される磁石と、前記磁石と前記レンズの径方向に対向するとともに前記ホルダを外囲するコイルとを備え、携帯機器に搭載されるレンズ駆動装置において、
前記ホルダは、磁性体によって形成される
ことを特徴とするレンズ駆動装置。
【請求項３】
請求項１または請求項２に記載のレンズ駆動装置において、
前記ホルダ及び前記磁石は、それぞれ円筒形状にて形成され、
前記コイルは、前記磁石との前記径方向の距離が一定となるように、前記磁石を外囲する円環状に形成される
ことを特徴とするレンズ駆動装置。
【請求項４】
請求項１〜請求項３のいずれか一項に記載のレンズ駆動装置において、
前記ホルダは、磁性体粉末が混合された樹脂材料により形成される
ことを特徴とするレンズ駆動装置。
【請求項５】
請求項１〜請求項３のいずれか一項に記載のレンズ駆動装置において、
前記ホルダ及び前記磁石を、磁性粉末が混合された樹脂材料の一体品として形成される
ことを特徴とするレンズ駆動装置。
【請求項６】
請求項１〜請求項５のいずれか一項に記載のレンズ駆動装置を搭載したことを特徴とするカメラモジュール。
【発明の詳細な説明】
【技術分野】
【０００１】
本発明は、レンズを保持するとともにこのレンズの光軸方向に移動可能なホルダと、ホルダに固定される磁石と、磁石とレンズの径方向に対向するとともにホルダを外囲するコイルとを備えたレンズ駆動装置及びこのレンズ駆動装置を搭載したカメラモジュールに関する。
【背景技術】
【０００２】
近年、携帯電話に搭載されるカメラは、高画素化が進み、オートフォーカスが必須の機能となっている。そこで、このカメラのオートフォーカスを行うためにレンズ駆動装置が使用されている。一方、携帯電話の薄型化及び小型化に伴い、レンズ駆動装置に与えられるスペースを縮小する要求が高まっている。この要求に対応するため、レンズ駆動装置のレンズを駆動させる構造としては、例えば、特許文献１のようなボイスコイル型の構造が採用されている。このボイスコイル型の構造は、一般に、ステッピングモータを用いた構造と比較して、構成を簡略化できるため、レンズ駆動装置の小型化を達成できることが知られている。
【０００３】
上記のボイスコイル型の構造では、レンズを保持するホルダ側にコイルを装着するとともに、ベース側に磁石を装着し、コイルに電流を印加することで生じる電磁駆動力によって、ホルダをレンズ光軸方向に移動している。また、ホルダをばね部材で支えるとともに、このばね部材をコイルへの給電用に共用し、ホルダから配線が引き出されないように構成されている。
【０００４】
この構成によれば、コイルへ給電するための配線がホルダから引き出されないため、レンズ駆動の際に、配線に不要な振動や張力が加わり、配線が破損してしまう問題を抑制することができる。しかし、その反面、この構成では、ばね部材の構造が複雑であるため、レンズ駆動装置の製造時の歩留まりが低下しやすい問題が生じる。
【０００５】
このような問題を解消するための構成として、図１２に示すように、非磁性体の樹脂材料にて形成されたホルダ１００に磁石１１０を直接固定し、ベースにホルダ１００を径方向の外側より外囲するようにコイル１２０を装着する構成が開発されている。この構成では、ホルダ１００に配線を施す必要がないため、レンズ駆動時における配線の破損を抑制するとともに、ばね部材を削除することによるレンズ駆動装置の構成の簡素化を図ることができる。
【特許文献１】特開２００４−２８００３１号公報
【発明の開示】
【発明が解決しようとする課題】
【０００６】
しかしながら、ホルダ１００に磁石１１０を直接固定する場合、図１３に示すように、磁石１１０の磁力線ＢＲが大きく周回するため、コイル１２０に向かう磁石１１０の磁力線ＢＲが少なくなってしまう。即ち、磁石１１０の漏れ磁束が多くなってしまっていた。その結果、ホルダ１００を光軸方向へ移動する際のコイルへの電流の供給量が増大してしまう問題があった。
【０００７】
本発明は、上記実情に鑑みてなされたものであり、その目的とするところは、磁石の漏れ磁束を抑制したレンズ駆動装置及びこのレンズ駆動装置を搭載したカメラモジュールを提供することである。
【課題を解決するための手段】
【０００８】
上記目的を達成するために、請求項１に記載の発明は、レンズを保持するとともに該レンズの光軸の方向に移動可能なホルダと、前記ホルダに固定される磁石と、前記磁石と前記レンズの径方向に対向するとともに前記ホルダを外囲するコイルと、前記磁石と前記径方向に対向するとともに前記コイルの前記径方向の外側に配置される磁性部材とを備えるレンズ駆動装置において、前記ホルダは、磁性体によって形成されることを要旨とする。
【０００９】
この発明によれば、磁石の磁力線が磁性体のホルダに流れるので、磁石の磁力線の周回を小さくすることが可能となるため、磁石の漏れ磁束を抑制することができる。したがって、磁石とコイルとの間の磁力を向上することができるため、コイルの巻回数を一定とした場合には、コイルに供給される電流を低減することができる。また、コイルに供給される電流を一定とした場合には、コイルの巻回数を減少させることができる。
【００１０】
請求項２に記載の発明は、レンズを保持するとともに該レンズの光軸の方向に移動可能なホルダと、前記ホルダに固定される磁石と、前記磁石と前記レンズの径方向に対向するとともに前記ホルダを外囲するコイルとを備え、携帯機器に搭載されるレンズ駆動装置において、前記ホルダは、磁性体によって形成されることを要旨とする。
【００１１】
この発明によれば、磁石が固定されるホルダが磁性体にて形成されることにより、コイルに供給する電流を低減することができるため、このレンズ駆動装置が携帯機器に搭載されることにより、図１２及び図１３に示す非磁性体のホルダにて形成された従来構造のレンズ駆動装置が携帯機器に搭載される場合と比較して、携帯機器の電池寿命を延長させることができる。
【００１２】
請求項３に記載の発明は、請求項１または請求項２に記載のレンズ駆動装置において、前記ホルダ及び前記磁石は、それぞれ円筒形状にて形成され、前記コイルは、前記磁石との前記径方向の距離が一定となるように、前記磁石を外囲する円環状に形成されることを要旨とする。
【００１３】
この発明によれば、ホルダ及び磁石をそれぞれ円筒形状にて形成することにより、複数の磁石がレンズを径方向から取り囲むようにホルダに固定する構成と比較して、磁石とコイルとの間の磁力のばらつきを抑制することができるため、ホルダの光軸の方向への動きを円滑に行うことができる。また、複数の磁石がレンズを径方向から取り囲むようにホルダに固定する構成と比較して、磁石とコイルとの対向する面積を増大させることが可能となり、磁石とコイルとの間の磁力を向上させることができる。
【００１４】
請求項４に記載の発明は、請求項１〜請求項３のいずれか一項に記載のレンズ駆動装置において、前記ホルダは、磁性体粉末が混合された樹脂材料により形成されることを要旨とする。
【００１５】
この発明によれば、ホルダを磁性体粉末が混合された樹脂材料により形成されるため、ホルダを金属材料のみにて形成した場合と比較して、ホルダ自体の重量を低減することができる。
【００１６】
請求項５に記載の発明は、請求項１〜請求項３のいずれか一項に記載のレンズ駆動装置において、前記ホルダ及び前記磁石を磁性粉末が混合された樹脂材料の一体品として形成されることを要旨とする。
【００１７】
この発明によれば、ホルダ及び磁石を磁性粉末が混合された樹脂材料の一体品として形成することにより、ホルダを金属材料のみにて形成した場合と比較して、ホルダ自体の重量を低減することができる。その上、ホルダと磁石とを一体品とすることにより、部品点数の削減を図ることができる。
【００１８】
請求項６に記載の発明は、カメラモジュールであって、請求項１〜請求項５のいずれか一項に記載のレンズ駆動装置を搭載したことを要旨とする。
この発明によれば、レンズ駆動装置は、カメラモジュールに好適に搭載することができる。
【発明の効果】
【００１９】
本発明によれば、磁石の漏れ磁束を抑制したレンズ駆動装置及びこのレンズ駆動装置を搭載したカメラモジュールを提供することができる。
【発明を実施するための最良の形態】
【００２０】
図１〜図６を参照して、本発明に係るレンズ駆動装置を携帯電話に搭載されるカメラのオートフォーカスに用いられるレンズ駆動装置として具体化した一実施形態について説明する。以降では、レンズの光軸に沿った方向を「光軸方向」といい、レンズの径方向を「径方向」といい、レンズを径方向から取り囲む方向を「周方向」という。また、レンズ駆動装置１の光軸方向において、ベース３０側を「下側」とし、ケース４０側を「上側」とする。そして、レンズ駆動装置１の径方向において、光軸に向かう側を「内側」とし、光軸から離れる側を「外側」とする。
【００２１】
まず、図１を参照して、レンズ駆動装置１の全体構成について説明する。
図１に示すように、レンズ駆動装置１は、光軸方向に移動可能な移動体１ａと、移動体１ａに駆動力を与えるとともに、このレンズ駆動装置１が搭載される機器に固定される固定体１ｂとにより構成されている。そして、レンズ駆動装置１は、移動体１ａの光軸方向の移動に伴い、レンズが光軸方向に移動することにより、カメラのオートフォーカスを行っている。また、本実施形態のレンズ駆動装置１は、光軸方向の平面視において、約８．５ｍｍの正方形に形成されており、レンズ駆動装置１の光軸方向の高さが、約３ｍｍに形成されている。
【００２２】
移動体１ａは、レンズ及びこのレンズを保持するレンズホルダＲＨと、このレンズホルダＲＨを保持する磁性体にて形成されたホルダ１０と、ホルダ１０に固定される複数の磁石２０とにより構成されている。なお、本実施形態の磁石２０は、互いに周方向に一定の距離を介して、即ち、レンズを径方向から取り囲むようにホルダ１０に４個固定されている。また、この磁石２０は、ネオジウム磁石（Ne-Fe-B）が用いられている。特に、本実施形態の磁石２０は、板状に形成されたネオジウム焼結磁石が用いられている。
【００２３】
固定体１ｂは、レンズ駆動装置１の外枠を構成するベース３０及びケース４０と、ベース３０に固定されて、ホルダ１０の光軸方向への移動をガイドするシャフト５０と、電流が印加されることにより磁場を形成するコイル６０とにより構成されている。また、コイル６０の径方向の外側には、磁性体の鋼板によって形成された長方形の板状の磁性部材である磁性板７０がベース３０に固定されている。
【００２４】
ベース３０には、レンズ駆動装置１の外枠の下面を構成する基部３１と、基部３１より光軸方向に沿って延設される支柱部３２とが設けられている。基部３１は、光軸方向の平面視において、正方形に形成される。そして、支柱部３２は、基部３１の四隅にそれぞれ設けられている。また、基部３１の中央位置には、円形の貫通孔である開口部３３が形成されている。また、ベース３０の周縁の２箇所には、２個の磁性板７０が固定されている。具体的には、磁性板７０は、ベース３０の周縁を構成する各辺の中央位置に固定されている。
【００２５】
ケース４０は、レンズ駆動装置１の外側の側面及び上面を構成している。そして、ケース４０は、コイル６０の径方向の外側を外囲するようにベース３０に取り付けられる。また、ケース４０の上面には、シャフト５０を挿入する２個の貫通孔４１と、移動体１ａを挿通可能とする開口部４２とが設けられている。
【００２６】
シャフト５０は、ベース３０の基部３１にそれぞれ固定されるとともに、ケース４０の貫通孔４１に挿入されることにより、光軸方向に沿うように保持される。このシャフト５０には、ホルダ１０が挿入される。そして、ホルダ１０は、シャフト５０に対して摺動可能とすることにより、シャフト５０に沿って移動可能となる。即ち、移動体１ａは、シャフト５０にガイドされて、光軸方向に移動する。
【００２７】
コイル６０は、ベース３０の４個の支柱部の周囲に巻き付けられている。そして、コイル６０に電流が印加されることにより、コイル６０の周囲に磁場が発生する。この磁場と磁石２０とにより、移動体１ａを光軸方向に移動させる力が発生する。
【００２８】
次に、図２及び図３を参照して、移動体１ａの構造について説明する。また、図２以降の移動体１ａでは、移動体１ａのレンズホルダＲＨを省略して示している。以降では、光軸方向及び径方向にそれぞれ直交する方向を「長手方向」とする。
【００２９】
図２（ａ）に示すように、磁性体粉末を混合した樹脂材料を射出成形することにより、ホルダ１０は、光軸方向の平面視において、八角形の形状に形成されている。そして、ホルダ１０の側面１０ａには、周方向に離間した４個の磁石２０が接着剤によって固定されている。なお、磁性体粉末としては、ニッケル、鉄等の磁性を有する金属が用いられる。また、磁性体粉末として、希土類マグネット粉末やフェライトマグネット粉末等の磁性粉末が用いられてもよい。
【００３０】
また、ホルダ１０において、ホルダ１０の中央部にはレンズホルダＲＨを保持するための開口部１１が設けられている。そして、ホルダ１０において、周方向に隣り合う磁石２０の間には、シャフト５０（図１参照）を挿通可能とする貫通孔１３，１４がそれぞれ設けられている。また、光軸方向の平面視において、貫通孔１３は円形に設けられ、貫通孔１４は長穴形状に設けられている。また、貫通孔１４は、貫通孔１３及び貫通孔１４の各中心を結んだ対角線Ｌ１に沿った方向を長径として、対角線Ｌ１と直交する方向を短径として形成されている。
【００３１】
また、図２（ｂ）に示すように、ホルダ１０の側面１０ａの長手方向の長さＨ１は、磁石２０の長手方向の長さＨ３よりも大きくなるように形成されている。具体的には、ホルダ１０の側面１０ａは、磁石２０の側面２０ｅ，２０ｆから長手方向にそれぞれ延設されている。そして、ホルダ１０の側面１０ａの光軸方向の長さＨ２は、磁石２０の光軸方向の長さＨ４よりも大きくなるように形成されている。具体的には、ホルダ１０の側面１０ａは、磁石２０の上端面２０ｃ及び下端面２０ｄよりもそれぞれ光軸方向の上側及び下側に延設されている。
【００３２】
図３（ａ）に示すように、磁石２０の長手方向の端部の磁力線Ｂ１は、ホルダ１０の長手方向の端部に流れる。そして、図３（ｂ）に示すように、磁石２０の光軸方向の下端部の磁力線Ｂ２は、ホルダ１０の光軸方向の下端部に流れる。以上により、磁石２０の磁力線Ｂ１，Ｂ２が径方向の内側に向かい流れようとしても、ホルダ１０に磁石２０の内側面２０ｂが接合されているため、磁力線Ｂ１，Ｂ２はホルダ１０に流れる。その結果、磁石２０が径方向の内側に漏洩しようとする磁束は、ホルダ１０側に流れる。したがって、磁石２０の磁束が、開口部１１（図２参照）に漏洩することを抑制している。
【００３３】
次に、図４を参照して、移動体１ａと磁性板７０との配置関係について説明する。
図４に示すように、移動体１ａのホルダ１０の貫通孔１３，１４には、固定体１ｂのベース３０のシャフト位置決め部３６（図１参照）に固定されたシャフト５０がそれぞれ挿入されている。そして、磁性板７０は、貫通孔１３，１４によって形成された対角線Ｌ１を中心線として、この中心線の片側のみに配置されている。具体的には、ベース３０の基部３１において、対角線Ｌ１の片側となる段部３４の２辺に設けられた磁性板位置決め部３５（図１参照）に磁性板７０が取り付けられている。特に、２個の磁性板７０は、これら磁性板７０に径方向に対向する磁石２０の中央位置にそれぞれ配置されている。
【００３４】
ここで、一の磁性板７０とこの磁性板７０に径方向に対向する磁石２０とによって発生する磁石２０の径方向の外側への引力Ｆ１の方向と、他の磁性板７０とこの磁性板７０に径方向に対向する磁石２０とによって発生する磁石２０の径方向の外側への引力Ｆ２の方向とは、直交している。そして、引力Ｆ１と引力Ｆ２との合力Ｆ３の方向は、対角線Ｌ１に対して垂直方向に働く。
【００３５】
この合力Ｆ３により、移動体１ａが合力Ｆ３の方向に引っ張られるため、ホルダ１０の貫通孔１３，１４を構成する内周面とシャフト５０とは、常に接触した状態に維持されている。即ち、これら２個の磁石２０と、これら磁石２０に径方向に対向する２個の磁性板７０とにより、移動体１ａ（ホルダ１０）を径方向の一方向である対角線Ｌ１に対して垂直方向に付勢する付勢手段を構成している。この付勢手段により、ホルダ１０の貫通孔１３，１４を構成する内周面とシャフト５０とが圧接された状態を維持している。そして、移動体１ａが光軸方向に移動する際、ホルダ１０の貫通孔１３，１４を構成する内周面とシャフト５０とが摺動することにより、移動体１ａはシャフト５０にガイドされる。
【００３６】
次に、図５を参照して、レンズ駆動装置１の駆動動作について説明する。図５中の一点鎖線は、光軸方向を示す。
図５（ａ）では、移動体１ａは、ホームポジションに位置している。具体的には、移動体１ａのホルダ１０の下面が、ベース３０の基部３１の上面と接触している。移動体１ａがホームポジションに位置しているとき、コイル６０には、電流が印加されていない。
【００３７】
そして、コイル６０に電流が印加されると、移動体１ａは、図５（ｂ）に示す位置まで移動する。具体的には、コイル６０の周囲に磁場が発生する。そして、これら磁場と磁石２０とにより磁気回路が形成されて、移動体１ａを光軸方向の上側に向かい移動させる力が発生する。そして、移動体１ａは、図５（ａ）に示すホームポジションから光軸方向の上側に向かい図５（ｂ）の位置まで移動する。
【００３８】
一方、コイル６０に逆向きの電流が印加された場合、この磁場と磁石２０とにより磁気回路が形成されて、移動体１ａを光軸方向の下側に向かい移動させる力が発生する。即ち、移動体１ａは、図５（ｂ）の位置からホームポジションに向かい移動する。
【００３９】
以上のように、移動体１ａを光軸方向の上側及び下側に移動させながら、レンズをオンフォーカス位置に移動させる。このとき、２個の磁性板７０とこれら磁性板７０と径方向に対向する磁石２０との間に生じる磁力により、移動体１ａは、２個のシャフト５０に対して摺動する。このため、移動体１ａを鉛直方向に動かす場合にも、重力の影響を受けにくくなる。また、レンズをオンフォーカス位置に移動させた後に、コイル６０への電流の印加を遮断しても、上記の磁石２０と磁性板７０との間の磁力により、移動体１ａはオンフォーカス位置に維持される。
【００４０】
次に、図６を参照して、本実施形態のレンズ駆動装置１をカメラに搭載する場合のカメラモジュールの構成について説明する。
図６に示すように、レンズ駆動装置１のベース３０側には、フィルタ２とイメージセンサ３とが配置されている。即ち、ベース３０の光軸方向の下側には、フィルタ２とイメージセンサ３とが配置されている。ベース３０には、位置検出素子としてホール素子４が配置される。そして、ホール素子４からの信号に基づいて、移動体１ａの位置検出が行われる。
【００４１】
フォーカス動作時、ＣＰＵ（Central Processing Unit）５は、ドライバ６を制御して、移動体１ａをホームポジションから予め設定された位置まで光軸方向の上側に移動させる。このとき、ホール素子４からの位置検出信号がＣＰＵ５に入力される。同時に、ＣＰＵ５は、イメージセンサ３から入力される信号を処理して撮像画像のコンストラスト値を取得する。そして、このコンストラスト値が最良となる移動体１ａの位置をオンフォーカス位置として取得する。
【００４２】
その後、ＣＰＵ５は、オンフォーカス位置に向けて移動体１ａを駆動する。その際、ＣＰＵ５は、ホール素子４からの信号をモニタし、ホール素子４からの信号がオンフォーカス位置に対応する状態になるまで、移動体１ａを駆動する。これにより、移動体１ａがオンフォーカス位置に位置づけられる。
【００４３】
本実施形態のレンズ駆動装置１によれば、以下に示す効果を奏することができる。
（１）本実施形態では、磁石２０が固定されたホルダ１０は、磁性体にて形成される構成である。この構成によれば、磁石２０の磁力線Ｂ１，Ｂ２はホルダ１０に流れるので、図１２及び図１３の従来構造と比較して、磁石２０の磁力線Ｂ１，Ｂ２の周回を小さくすることが可能となるため、磁石２０の径方向の内側への漏れ磁束を抑制することができる。したがって、磁石２０とコイル６０との間の磁力を向上することができるため、コイル６０の巻回数を一定とした場合には、コイル６０に供給される電流を低減することができる。一方、コイル６０に供給される電流を一定とした場合には、コイル６０の巻回数を減少させることができる。
【００４４】
また、磁性体のホルダ１０により、磁石２０の径方向の内側への漏れ磁束を抑制することができるため、磁石２０と磁性板７０との間の引力Ｆ１，Ｆ２を向上させることができ、これら引力Ｆ１，Ｆ２の合力Ｆ３を増大させることができる。したがって、ホルダ１０を径方向に付勢する力が増大するため、シャフト５０とホルダ１０との圧接する力を向上させることができる。その結果、ホルダ１０の光軸の方向及び径方向の位置を安定化させることができる。これにより、ホルダ１０の位置が安定することに伴い、レンズの位置が安定する。したがって、レンズのピントを調整した後からカメラのシャッターボタンを押すまでの間の時間において、ホルダ１０の位置を安定して維持することができるため、上記時間の間にホルダ１０が移動することによってピントがずれることを抑制することができる。その結果、レンズのピントの精度を向上させることができる。
【００４５】
（２）本実施形態では、レンズ駆動装置１が携帯電話等の携帯機器に搭載される構成である。この構成によれば、本実施形態のレンズ駆動装置１がホルダ１０により磁石２０の漏れ磁束を抑制することによりコイル６０に供給される電流を低減することができるため、図１２及び図１３に示す従来構造のレンズ駆動装置1と比較して、携帯機器の電池寿命を延長させることができる。
【００４６】
また、携帯機器では、レンズ駆動装置１の周囲に磁気の影響を受けやすい電子部品が配置されることがある。その場合において、図１２及び図１３に示す従来構造のレンズ駆動装置１では、磁石１１０の漏れ磁束が多いため、上記電子部品に影響を与えてしまう可能性がある。その点において、本実施形態のレンズ駆動装置１では、ホルダ１０により、磁石２０の漏れ磁束を抑制するため、上記電子部品への影響を抑制することができる。
【００４７】
（３）本実施形態では、ホルダ１０が磁性体粉末を混合した樹脂材料により形成される構成とする。この構成によれば、ホルダ１０を非磁性体の金属材料のみにて形成した場合と比較して、ホルダ１０自体の重量を低減することができる。また、ホルダ１０を樹脂材料のみにて形成した場合と比較して、磁石２０の漏れ磁束を低減することが可能となる。以上により、ホルダ１０が磁性体粉末を混合した樹脂材料により形成されることによって、磁石２０の漏れ磁束を低減しつつも、ホルダ１０自体の重量を低減することができる。
【００４８】
（４）本実施形態では、レンズ駆動装置１がカメラモジュールに搭載される構成である。この構成によれば、レンズ駆動装置１のホルダ１０の位置を安定化させることができるため、オンフォーカスでのレンズの位置を安定して維持することができる。したがって、レンズのピントを調整した後（即ち、ホルダ１０をオンフォーカスの位置に移動させた後）からカメラのシャッターボタンを押すまでの間の時間において、上記時間の間にホルダ１０が移動することによってピントがずれることを抑制することができる。その結果、レンズのピントの精度を向上させることができる。
【００４９】
（その他の実施形態）
本発明は、上記に例示した実施形態に限定されることなく、以下のように変更することもできる。
【００５０】
・上記実施形態のレンズ駆動装置１では、携帯電話に搭載されるカメラモジュールに適用されたが、本発明の適用範囲はこれに限定されることはない。例えば、他の携帯機器に搭載されたカメラモジュールに適用されてもよい。
【００５１】
・上記実施形態のレンズ駆動装置１では、ホルダ１０の側面１０ａに磁石２０が接着剤にて固定される構成であったが、ホルダ１０及び磁石２０の固定構造は、これに限定されることはない。例えば、図７に示すように、ホルダ１０の側面１０ａに、この側面１０ａから径方向の内側に凹む保持部１２を設け、この保持部１２に磁石２０を収容する構造であってもよい。また、図８に示すように、保持部１２に磁石２０の一部を収容する構造であってもよい。この場合、磁石２０の外側面２０ａは、ホルダ１０の側面１０ａよりも径方向の外側に突出する構造となる。これらの構造により、上記実施形態よりもホルダ１０と磁石２０との接触面積（即ち、接合面積）が増大するため、ホルダ１０と磁石２０との接合強度を向上させることができる。
【００５２】
また、保持部１２の構造は、図７及び図８のように、磁石２０を光軸方向の両側から覆う構造に限定されることなく、例えば、図９に示すように、ホルダ１０が磁石２０の下端面２０ｄのみを覆う構造であってもよい。この構成により、ホルダ１０のサイズが一定であれば、磁石２０を光軸方向に大型化することができる。また、磁石２０のサイズが一定であれば、ホルダ１０を光軸方向に小型化することができる。
【００５３】
ここで、図８の構造の場合、図１０に示すように、磁石２０の外側面２０ａとホルダ１０の側面１０ａとの径方向の間の距離Ｇ２は、磁石２０の外側面２０ａとコイル６０の内縁との径方向の間の距離Ｇ１よりも大きいことが望ましい。これにより、磁石２０の磁束の多くは、ホルダ１０の側面１０ａよりもコイル６０に向かい流れる。したがって、磁石２０とコイル６０との間の磁力を増大させることができる。
【００５４】
・上記実施形態のレンズ駆動装置１では、ホルダ１０の形状が略八角柱であり、その側面１０ａに板状の磁石２０が固定される構造であったが、ホルダ１０及び磁石２０の形状は、これに限定されることはない。例えば、図１１に示すように、ホルダ１０及び磁石２０の形状は、それぞれ円筒形状であってもよい。これに伴い、コイル６０の形状も磁石２０を径方向に外囲する円環形状であることが望ましい。これにより、上記実施形態と比較して、磁石２０とコイル６０との間の磁力のばらつきを抑制することができるため、ホルダ１０の光軸方向への動きを円滑に行うことができる。また、上記実施形態と比較して、磁石２０とコイル６０との対向する面積を増大させることが可能となり、磁石２０とコイル６０との間の磁力を向上させることができる。
【００５５】
・上記実施形態のレンズ駆動装置１では、ホルダ１０の側面１０ａに磁石２０を接着剤によって固定する構成であったが、ホルダ１０と磁石２０との固定方法は、これに限定されることはない。例えば、ホルダ１０が樹脂材料を射出成形することにより、磁石２０を一体的に成形される構成であってもよい。この構成によれば、磁石２０とホルダ１０とを接着剤にて接合した場合よりも、磁石２０とホルダ１０との接合強度を向上させることができる。これは、図７〜図９の構成においても同様である。
【００５６】
・上記実施形態のレンズ駆動装置１では、磁性板７０が対角線Ｌ１を中心線として、その中心線の片側のみに２個配置された構成であったが、磁性板７０の構成は、これに限定されることはない。例えば、Ｌ字形状の磁性板を上記中心線の片側に配置する構成であってもよい。この構成により、ホルダ１０を径方向の一方向（即ち、合力Ｆ３方向）に付勢することができる。また、例えば、磁性板は、ホルダ１０を径方向の外側より全周に亘り外囲する環状の形状であってもよい。この磁性板の形状により、ホルダ１０が吊られた状態とすることができるため、ホルダ１０の光軸方向の位置を安定して維持することができる。
【００５７】
・上記実施形態のレンズ駆動装置１では、ホルダ１０と磁石２０とが別部材として構成されているが、ホルダ１０と磁石２０との構成は、これに限定されることはない。例えば、ホルダ１０と磁石２０とを、磁性粉末を混合した樹脂材料の一体品として形成してもよい。そして、この一体品の磁石２０に相当する部分に、着磁を施す。具体的には、ホルダ１０と磁石２０とをプラスチックマグネットの一体品として形成する。この構成によれば、ホルダ１０を金属材料のみにて形成した場合と比較して、ホルダ１０自体の重量を低減することができる。また、ホルダ１０を樹脂材料のみにて形成した場合と比較して、プラスチックマグネットのうち、着磁された部位からの漏洩する磁束をプラスチックマグネットの着磁された部位以外である他の部位に流すことができるため、上記漏洩する磁束を低減することができる。その上、ホルダ１０と磁石２０とを一体品とすることにより、部品点数の削減を図ることができる。なお、ここで、磁性粉末としては、希土類マグネット粉末やフェライトマグネット粉末等の磁石原料となる粉末が用いられる。
【図面の簡単な説明】
【００５８】
【図１】本発明に係るレンズ駆動装置を具体化した実施形態について、同レンズ駆動装置の分解斜視構造を示す斜視図。
【図２】（ａ）同実施形態のレンズ駆動装置について、ホルダに磁石を取り付けた状態において、光軸方向の上側より見た平面構造を示す平面図。（ｂ）同実施形態のレンズ駆動装置について、ホルダに磁石を取り付けた状態において、径方向の外側より見た側面構造を示す側面図。
【図３】（ａ）同実施形態のレンズ駆動装置について、磁石及びホルダを光軸方向の上側より見た平面構造を示す平面図。（ｂ）同実施形態のレンズ駆動装置について、磁石及びホルダを光軸方向に沿った平面にて切った断面構造を示す断面図。
【図４】同実施形態のレンズ駆動装置について、磁石と磁性板との配置関係を示す平面図。
【図５】（ａ）同実施形態のレンズ駆動装置について、移動体がホームポジションに位置する状態の断面構造を示す断面図。（ｂ）同実施形態のレンズ駆動装置について、移動体がオンフォーカス位置に位置する状態の断面構造を示す断面図。
【図６】同実施形態のレンズ駆動装置を搭載したカメラモジュールの構成を示す模式図。
【図７】（ａ）本発明に係るレンズ駆動装置を具体化した実施形態の第１の変形例について、同レンズ駆動装置の移動体を光軸方向の上側より見た平面構造を示す平面図。（ｂ）同変形例について、移動体を径方向の外側より見た側面構造を示す側面図。
【図８】（ａ）本発明に係るレンズ駆動装置を具体化した実施形態の第２の変形例について、同レンズ駆動装置の移動体を光軸方向の上側より見た平面構造を示す平面図。（ｂ）同変形例について、移動体を径方向の外側より見た側面構造を示す側面図。
【図９】（ａ）本発明に係るレンズ駆動装置を具体化した実施形態の第３の変形例について、同レンズ駆動装置の移動体を光軸方向の上側より見た平面構造を示す平面図。（ｂ）同変形例について、移動体を径方向の外側より見た側面構造を示す側面図。
【図１０】（ａ）第２の変形例について、ホルダ及び磁石とコイルとの位置関係を示す平面図。（ｂ）同変形例について、ホルダ及び磁石とコイルとの位置関係を示す断面図。
【図１１】本発明に係るレンズ駆動装置を具体化した実施形態の第４の変形例について、同レンズ駆動装置の移動体を光軸方向の上側より見た平面構造を示す平面図。
【図１２】従来に係るレンズ駆動装置について、同レンズ駆動装置のホルダを光軸方向の上側より見た平面構造を示す平面図。
【図１３】従来に係るレンズ駆動装置について、同レンズ駆動装置の磁石を光軸方向に沿った平面にて切った断面構造を示す断面図。
【符号の説明】
【００５９】
１…レンズ駆動装置、１ａ…移動体、１ｂ…固定体、２…フィルタ、３…イメージセンサ、４…ホール素子（位置検出素子）、５…ＣＰＵ、６…ドライバ、１０…ホルダ、１１…開口部、１２…保持部、１３，１４…貫通孔、２０…磁石、２０ａ…外側面、２０ｂ…内側面、２０ｃ…上端面、２０ｄ…下端面、２０ｅ，２０ｆ…側面、３０…ベース、３１…基部、３２…支柱部、３３…開口部、３４…段部、３５…磁性板位置決め部、３６…シャフト位置決め部、４０…ケース、４１…貫通孔、４２…開口部、５０…シャフト、６０…コイル、７０…磁性板（磁性部材）。
【図１】
2010139980.tif 000003
【図２】
2010139980.tif 000004
【図３】
2010139980.tif 000005
【図４】
2010139980.tif 000006
【図５】
2010139980.tif 000007
【図６】
2010139980.tif 000008
【図７】
2010139980.tif 000009
【図８】
2010139980.tif 000010
【図９】
2010139980.tif 000011
【図１０】
2010139980.tif 000012
【図１１】
2010139980.tif 000013
【図１２】
2010139980.tif 000014
【図１３】
2010139980.tif 000015